(57)【特許請求の範囲】
【請求項１】
光を通過させるための開口部を有する基板と、開口部を覆う閉鎖位置及び開口部を開放する開放位置との間で移動可能に基板の背面側に配置されたシャッタ羽根群と、シャッタ羽根群を往復動させるように駆動するべく基板の前面側に配置された駆動レバーと、駆動レバーの一部とシャッタ羽根群の一部とを連結する連結部の移動を許容するべく基板に形成された貫通孔と、を備えたフォーカルプレンシャッタであって、
前記貫通孔を遮蔽及び開放し得るように前記基板に対して移動可能に配置された可動遮蔽板と、
前記可動遮蔽板を駆動する駆動手段と、を有する、
ことを特徴とするフォーカルプレンシャッタ。
【請求項２】
前記可動遮蔽板は、シャッタのチャージがセットされた状態において、前記貫通孔を遮蔽するように駆動される、
ことを特徴とする請求項１記載のフォーカルプレンシャッタ。
【請求項３】
前記駆動レバーに係合して、シャッタのチャージをセット及び解除し得るように、前記基板の前面側において回動自在に配置されたセットレバーを有し、
前記セットレバーは、前記可動遮蔽板の駆動手段を兼ねる、
ことを特徴とする請求項１又は２記載のフォーカルプレンシャッタ。
【請求項４】
前記セットレバーは、シャッタのチャージを解除し得る位置に移動するときに、前記貫通孔を開放するように前記可動遮蔽板を駆動する、
ことを特徴とする請求項３記載のフォーカルプレンシャッタ。
【請求項５】
前記シャッタ羽根群は、先羽根群及び後羽根群からなり、前記駆動レバーは、前記先羽根群を駆動する先羽根駆動レバーと、前記後羽根群を駆動する後羽根駆動レバーとからなり、
前記貫通孔は、前記先羽根駆動レバーの一部と前記先羽根群の一部とを連結する連結部の移動を許容する先羽根用貫通孔と、前記後羽根駆動レバーの一部と前記後羽根群の一部とを連結する連結部の移動を許容する後羽根用貫通孔とからなり、
前記可動遮蔽板は、少なくとも前記先羽根用貫通孔を遮蔽及び開放し得るように配置されている、
ことを特徴とする請求項３又は４記載のフォーカルプレンシャッタ。
【発明の詳細な説明】
【０００１】
【発明の属する技術分野】
本発明は、被写体光を通過させるべく基板に形成された開口部を開閉するシャッタ羽根群を供えたカメラ用のフォーカルプレンシャッタに関し、特に、基板の背面側に配置されたシャッタ羽根群と基板の前面側に配置された駆動レバーとの連結を許容する貫通孔を備えたカメラ用のフォーカルプレンシャッタに関する。
【０００２】
【従来の技術】
カメラに搭載される従来のフォーカルプレンシャッタは、図６及び図７に示すように、被写体光を通過させるための開口部１ａを有する基板（地板）１の背面側に、シャッタ羽根群を形成する先羽根群２及び後羽根群３が配置され、一方、基板１の前面側左側部に、これら先羽根群２及び後羽根群３を駆動する駆動レバー等が配置され、基板１の背面側後方に配置される撮影フィルムに対する露光動作が行なわれるようになっている。
【０００３】
また、これら先羽根群２及び後羽根群３の一部に連結された駆動レバーの連結ピン４，５の移動を許容するために、基板１には連結ピン４，５の移動軌跡に沿って貫通孔としての先羽根側の長孔１ｂ及び後羽根側の長孔１ｃがそれぞれ設けられている。さらに、基板１には、開口部１ａの上方縁部領域において、反射ミラー６を回動自在に支持する支軸６ａの一部を収容する切り欠き孔１ｄが設けられている。
【０００４】
このフォーカルプレンシャッタにおいては、例えば、シャッタのチャージがセットされた状態では、図７に示すように、先羽根群２が下方に向けて展開して閉鎖位置に位置し、後羽根群３が重なり合った開放位置に位置するため、先羽根側の長孔１ｂが開放されて基板１の背面側すなわち撮影フィルム側への光の進入が可能となり、又、この先羽根側の長孔１ｂの近傍には、切り欠き孔１ｄもあるため、反射等により光がより一層入り込み易くなる。
したがって、この先羽根側の長孔１ｂから直接にあるいは切り欠き孔１ｄの隙間を介して基板１の背面側に光が進入するのを防止して、撮影フィルムに対する遮光性を確保するために、基板１の開口部１ａ及び反射ミラーを囲むような遮光専用の壁板を設けたり、あるいは、図６に示すように、駆動レバー等が配置された領域を囲繞するように箱状の遮光用カバー７を設けて、長孔１ｂ，１ｃ等を全体的に覆うようにしている。
【０００５】
【発明が解決しようとする課題】
ところで、上記従来の遮光用カバー７等を設ける構成では、この遮光用カバー７等を配置するためのスペースを必要とし、又、この遮光用カバー７等が専用品として別個に成型等により形成されることから、装置の大型化、装置の複雑化、装置のコスト増加等を招き、さらには、このフォーカルプレンシャッタを搭載するカメラ本体の大型化等を招くという問題があった。
本発明は、上記の問題点に鑑みて成されたものであり、その目的とするところは、装置の小型化、低コスト化、構造の簡略化等を図りつつ、又、機能上の信頼性を確保しつつ、シャッタの遮光性を向上させることができ、又、カメラ本体の小型化にも寄与することのできるフォーカルプレンシャッタを提供することにある。
【０００６】
【課題を解決するための手段】
本発明のフォーカルプレンシャッタは、光を通過させるための開口部を有する基板と、開口部を覆う閉鎖位置及び開口部を開放する開放位置との間で移動可能に基板の背面側に配置されたシャッタ羽根群と、シャッタ羽根群を往復動させるように駆動するべく基板の前面側に配置された駆動レバーと、駆動レバーの一部とシャッタ羽根群の一部とを連結する連結部の移動を許容するべく基板に形成された貫通孔とを備えたフォーカルプレンシャッタであって、上記貫通孔を遮蔽及び開放し得るように基板に対して移動可能に配置された可動遮蔽板と、この可動遮蔽板を駆動する駆動手段とを有する、ことを特徴としている。
この構成によれば、所望のタイミングで駆動手段が作用することにより、可動遮蔽板が貫通孔の上方に移動させられて、基板の前面側から背面側に通じる貫通孔を遮蔽することになる。これにより、基板の背面後方に位置する撮影フィルムに対する遮光が行なわれる。また、露出動作直前に、可動遮蔽板が貫通孔から待避させられて、露出動作時における駆動レバー等の移動を可能にする。
さらに、可動遮蔽板は、シャッタ羽根群とは別個に独立したものであるため、シャッタ羽根群は、その動作の応答性に影響を受けることなく迅速かつ正確に開閉動作を行なう。
【０００７】
上記構成において、可動遮蔽板は、シャッタのチャージがセットされた状態において、貫通孔を遮蔽するように駆動される、構成を採用することができる。
この構成によれば、シャッタのチャージがセットされた状態において、可動遮蔽板が駆動手段により移動させられて、基板の貫通孔を遮蔽する。これにより、基板の背面後方に位置する撮影フィルムに対する遮光が行なわれる。
特に、撮影の待機状態あるいはカメラの電源を切るときは、常にシャッタのチャージがセットされた状態で保持されるようになっている場合、貫通孔は遮蔽部により遮蔽された状態で保持されることになり、撮影フィルムに対する遮光が効率良く行なわれる。
【０００８】
上記構成において、駆動レバーに係合してシャッタのチャージをセット及び解除し得るように、基板の前面側において回動自在に配置されたセットレバーを有し、このセットレバーが、可動遮蔽板の駆動手段を兼ねる、構成を採用することができる。
この構成によれば、セットレバーにより、シャッタ羽根群を開閉駆動する駆動レバーが作動させられると共に、可動遮蔽板も作動させられる。したがって、可動遮蔽板を駆動する専用の部品等が不要になり、構造が簡略化される。また、セットレバーを媒介として、シャッタ羽根群と可動遮蔽板との作動のタイミングが同期付けられる。これにより、シャッタ羽根群の位置に応じた必要なタイミングで、可動遮蔽板の遮蔽及び開放動作が確実に行なわれる。
【０００９】
上記構成において、セットレバーは、シャッタのチャージを解除し得る位置に移動するときに、貫通孔を開放するように可動遮蔽板を駆動する、構成を採用することができる。
この構成によれば、レリーズ動作等により、セットレバーがシャッタのチャージを解除し得る位置に移動するとき、可動遮蔽板が貫通孔を開放すなわち貫通孔から離れた位置に待避するため、この開放された貫通孔の領域に位置する駆動レバーの移動が可能になり、シャッタ羽根群が露出動作を行なうべく走行させられることになる。
【００１０】
上記構成において、シャッタ羽根群は、先羽根群及び後羽根群からなり、駆動レバーは、先羽根群を駆動する先羽根駆動レバーと、後羽根群を駆動する後羽根駆動レバーとからなり、貫通孔は、先羽根駆動レバーの一部と先羽根群の一部とを連結する連結部の移動を許容する先羽根用貫通孔と、後羽根駆動レバーの一部と後羽根群の一部とを連結する連結部の移動を許容する後羽根用貫通孔とからなり、可動遮蔽板は、少なくともこの先羽根用貫通孔を遮蔽及び開放し得るように配置されている、構成を採用することができる。
この構成によれば、シャッタのチャージがセットされた状態で、例えば、先羽根群が開口部を閉鎖する閉鎖位置に位置しかつ後羽根群が開口部を開放する開放位置に位置するとき、先羽根用貫通孔が開放されて基板の背面側への光の進入が可能になる。そこで、可動遮蔽板がこの先羽根用貫通孔を遮蔽するように移動させられることで、この先羽根用貫通孔を通して入り込む光が遮られ、基板の背面後方に位置する撮影フィルムに対する遮光が行なわれる。
特に、先羽根用貫通孔が、反射ミラーの支軸を収容する切り欠き孔と近接している場合（例えば、ファインダがカメラの上方すなわち切り欠き孔が上方にあり、シャッタ羽根群がカメラの下方から上方に向け走行して露出動作を行なう場合、あるいは、ファインダがカメラの下方すなわち切り欠き孔が下方にあり、シャッタ羽根群がカメラの上方から下方に向け走行して露出動作を行なう場合）には、この先羽根用貫通孔を可動遮蔽板により遮蔽することで、切り欠き孔を介して入り込んだ光等がさらに基板の背面側に入り込むのを防止できる。
【００１２】
【発明の実施の形態】
以下、本発明の実施の形態について、添付図面を参照しつつ説明する。
図１ないし図５は、本発明に係るフォーカルプレンシャッタの一実施形態を示すものであり、図１は被写体光を通過させるための開口部が形成された基板を示す平面図、図２は可動遮蔽板、駆動レバー、及びセットレバー等の動作を示す平面図、図３はシャッタのチャージがセットされる前のシャッタ羽根群等の状態を示す平面図、図４はシャッタのチャージがセットされたときのシャッタ羽根群等の状態を示す平面図、図５はシャッタのレリーズ動作が行なわれた直後のシャッタ羽根群等の状態を示す平面図である。
【００１３】
この実施形態に係るフォーカルプレンシャッタは、光（被写体光）を通過させるための開口部１０ａを有する基板としての地板１０と、開口部１０ａを覆う閉鎖位置及び開口部１０ａを開放する開放位置との間で移動可能に地板１０の背面側に配置されたシャッタ羽根群としての先羽根群２０及び後羽根群３０と、これら先羽根群２０及び後羽根群３０を往復動させるように駆動するべく地板１０の前面側に配置された先羽根駆動レバー４０及び後羽根駆動レバー５０、セットレバー６０等を含む駆動機構と、基板１０の貫通孔を遮蔽し得る可動遮蔽板７０等を、その基本構成として備えている。
【００１４】
基板としての地板１０は、図１に示すように、その外輪郭が略矩形形状に形成され、その表面が黒色等により塗装されている。そして、その中央部領域には、矩形形状の開口部１０ａが設けられ、この開口部１０ａの上方縁部領域には、反射ミラーの支軸を収容する切り欠き孔１０ｂが設けられている。さらに、開口部１０ａの左側領域には、先羽根駆動レバー４０の連結ピン４２を通す円弧状長孔の先羽根用貫通孔１０ｃと、後羽根駆動レバー５０の連結ピン５２を通す円弧状長孔の後羽根用貫通孔１０ｄ等が設けられている。
【００１５】
この地板１０の背後には、所定の間隔を空けて中間板１１が配置されている。この中間板１１は、図１中の点線にて示すように、その外輪郭が略矩形形状でかつ地板１０の先羽根用貫通孔１０ｃ及び後羽根用貫通孔１０ｄを逃げるように形成されており、その表面が地板１０と同様に黒色等により塗装されている。そして、その中央部領域には、略矩形形状の開口部１１ａが設けられている。
【００１６】
また、この中間板１１の背後には、所定の間隔を空けてカバー板１２が配置されている。このカバー板１２は、その外輪郭が地板１０とほぼ同様な矩形形状に形成されている。そして、その中央部領域には、地板１０の開口部１０ａよりも若干大きめの開口部１２ａが設けられている。また、この開口部１２ａの左側領域には、地板１０の先羽根用貫通孔１０ｃと重なる位置に同様の円弧状長孔をなす先羽根用貫通孔１２ｃが設けられ、又、地板１０の後羽根用貫通孔１０ｄと重なる位置に同様の円弧状長孔をなす後羽根用貫通孔１２ｄが設けられている。
【００１７】
そして、地板１０の背面側すなわち地板１０と中間板１１との間の空間には、シャッタ羽根群の一部をなす先羽根群２０が配置され、下方に向けて展開して開口部１０ａ（１１ａ，１２ａ）を覆う閉鎖位置と、開口部１０ａ（１１ａ，１２ａ）の上側にて重なり合って開口部１０ａ（１１ａ，１２ａ）を開放する開放位置との間で往復動自在となっている。
また、地板１０の背面側すなわち中間板１１とカバー板１２との間の空間には、シャッタ羽根群の一部をなす後羽根群３０が配置され、上方に向けて展開して開口部１０ａ（１１ａ，１２ａ）を覆う閉鎖位置と、開口部１０ａ（１１ａ，１２ａ）の下側にて重なり合って開口部１０ａ（１１ａ，１２ａ）を開放する開放位置との間で往復動自在となっている。
【００１８】
この先羽根群２０は、図４に示すように、４枚の先羽根すなわち第１先羽根２１，第２先羽根２２，第３先羽根２３，第４先羽根２４と、これらの先羽根を回動自在にリンクする２本のリンク部材２５，２６等により構成されている。
このリンク部材２５の一端部は、地板１０に設けられた支持軸１３に回動自在に連結され、又、リンク部材２６の一端部は、地板１０に設けられた枢軸１４に回動自在に連結されている。
また、リンク部材２５の一部には、長孔形状の連結孔２５ａが形成されており、この連結孔２５ａに対して先羽根駆動レバー４０の連結ピン４２が嵌合されるようになっている。ここで、支持軸１３を中心としてリンク部材２５が回動する場合の連結孔２５ａの軌跡（軌跡の半径）は、先羽根用貫通孔１０ｃの伸長方向（円弧の曲率半径）と一致するように形成されている。尚、先羽根群２０は、開口部１０ａを開閉する部分がストロボ調光等のため灰色等に塗装されている。
【００１９】
後羽根群３０は、図３に示すように、４枚の後羽根すなわち第１後羽根３１，第２後羽根３２，第３後羽根３３，第４後羽根３４と、これらの後羽根を回動自在にリンクする２本のリンク部材３５，３６等により構成されている。
このリンク部材３５の一端部は、地板１０に設けられた支持軸１５に回動自在に連結され、又、リンク部材３６の一端部は、地板１０に設けられた枢軸１６に回動自在に連結されている。
また、リンク部材３５の一部には、長孔形状の連結孔３５ａが形成されており、この連結孔３５ｂに対して後羽根駆動レバー５０の連結ピン５２が嵌合されるようになっている。ここで、支持軸１５を中心としてリンク部材３５が回動する場合の連結孔３５ａの軌跡（軌跡の半径）は、後羽根用貫通孔１０ｄの伸長方向（円弧の曲率半径）と一致するように形成されている。
尚、先羽根２０あるいは後羽根群３０には、開口部１０ａに対応する部分の被写体側が、例えばストロボ調光等のため黒色以外の灰色等に塗装されていても構わない。
【００２０】
先羽根群２０及び後羽根群３０を駆動する駆動機構は、図２に示すように、地板１０の前面側において、開口部１０ａの左側上方の領域に回動自在に配置されて先羽根群２０を駆動する先羽根駆動レバー４０、この先羽根駆動レバー４０の下方の領域に回動自在に配置されて後羽根群３０を駆動する後羽根駆動レバー５０、これら先羽根駆動レバー４０と後羽根駆動レバー５０との間の領域に回動自在に配置されかつ先羽根駆動レバー４０及び後羽根駆動レバー５０に係合し得るセットレバー６０、このセットレバー６０に係合してシャッタのチャージを制御するチャージレバー（不図示）、このチャージレバーに駆動力を付与する駆動モータ（不図示）等により構成されている。
【００２１】
上記セットレバー６０は、図２（ａ），（ｂ），（ｃ）に示すように、地板１０の前面側において、支持軸１７の回りに回動自在に配置されており、この支持軸１７の領域に配置された捩りスプリング（不図示）により、図２中の時計回りに回転するように付勢されて、その突起部６１がチャージレバーの一部（不図示）に対して、上側から常時係合するようになっている。
また、このセットレバー６０は、図２（ａ），（ｂ），（ｃ）に示すように、突起部６１の他に、湾曲面をもつ第１係合部６２、同様に湾曲面をもつ第２係合部６３、背面側から後方に突出して設けられたセットピン６４及び解除ピン６５等を一体的に備えて形成されている。
【００２２】
先羽根駆動レバー４０は、図２（ａ），（ｂ），（ｃ）に示すように、地板１０の前面側において、支持軸１３の回りに回動自在に配置されており、この支持軸１３の領域に配置された捩りスプリング（不図示）により、図２中の反時計回りに回転するように付勢されている。また、この先羽根駆動レバー４０は、セットレバー６０の第１係合部６２と係合し得る係合部４１と、先羽根用貫通孔１０ｃを通して地板１０の背面側（後方）に伸びかつ先羽根群２０（リンク部材２５）の連結孔２５ａに連結されて連結部を形成する連結ピン４２（駆動レバーの一部）と、磁力に引寄せられる鉄片部４３、この鉄片部４３での衝撃力を緩和するばねを含む機構等により形成されている。
ここで、支持軸１３を中心として先羽根駆動レバー４０が回動する場合の連結ピン４２の軌跡（軌跡の半径）は、先羽根用貫通孔１０ｃの伸長方向（円弧の曲率半径）と一致するように形成されている。
【００２３】
後羽根駆動レバー５０は、図２（ａ），（ｂ），（ｃ）に示すように、地板１０の前面側において、支持軸１５の回りに回動自在に配置されており、この支持軸１５の領域に配置された捩りスプリング（不図示）により、図２中の反時計回りに回転するように付勢されている。また、この後羽根駆動レバー５０は、セットレバー６０の第２係合部６３と係合し得る係合部５１と、後羽根用貫通孔１０ｄを通して地板１０の背面側（後方）に伸び後羽根群３０（リンク部材３５）の連結孔３５ａに連結されて連結部を形成する連結ピン５２（駆動レバーの一部）と、磁力に引寄せられる鉄片部５３、この鉄片部５３での衝撃力を緩和するばねを含む機構等により形成されている。
ここで、支持軸１５を中心として後羽根駆動レバー５０が回動する場合の連結ピン５２の軌跡（軌跡の半径）は、後羽根用貫通孔１０ｄの伸長方向（円弧の曲率半径）と一致するように形成されている。
【００２４】
地板１０の前面側でかつ先羽根駆動レバー４０の後方には、先羽根用貫通孔１０ｃを所定のタイミングで遮蔽する可動遮蔽板７０が配置されている。
この可動遮蔽板７０は、地板１０に設けられた支持軸１８の回りに回動自在に配置されており、又、先羽根用貫通孔１０ｃの形状に沿いかつ先羽根用貫通孔１０ｃよりも幅広の輪郭をもつ遮蔽部７１と、セットレバー６０のセットピン６４と係合し得る第１係合部７２と、セットレバー６０の解除ピン６５と係合し得る第２係合部７３等を備えた薄板状に形成されている。
【００２５】
したがって、セットレバー６０のセットピン６４が可動遮蔽板７０の第１係合部７２に係合して、可動遮蔽板７０を図２中の時計回りに回転させると、図２（ｂ）に示すように、その遮蔽部７１が先羽根用貫通孔１０ｃを遮蔽し、一方、セットレバー６０の解除ピン６５が可動遮蔽板７０の第２係合部７３に係合して、可動遮蔽板７０を図２中の反時計回りに回転させると、図２（ａ），（ｃ）に示すように、その遮蔽部７１が待避して先羽根用貫通孔１０ｃを開放する。
【００２６】
このように、可動遮蔽板７０は、先羽根用貫通孔１０ｃを遮蔽する遮蔽位置と、先羽根用貫通孔１０ｃから待避してこれを開放する開放位置（待避位置）との間で移動可能に形成されているため、所望の作動タイミングで先羽根用貫通孔１０ｃを遮蔽して、この先羽根用貫通孔１０ｃから基板１０の背面側に進入する光を遮る（遮光する）ことができ、又、露出動作直前等の短い時間において先羽根用貫通孔１０ｃを開放して（から待避させて）、先羽根群２０を駆動する先羽根駆動レバー４０の移動を可能にすることができる。
尚、可動遮蔽板７０が、上記待避位置及び遮蔽位置にそれぞれ到達した時に、可動遮蔽板７０の一部が当接するストッパ（不図示）を設けることにより、可動遮蔽板７０のそれ以上の移動が規制される。これにより、待避位置及び遮蔽位置において、可動遮蔽板７０を高精度に位置決めすることができる。
【００２７】
さらに、この可動遮蔽板７０は、先羽根群２０及び後羽根群３０等から独立した別個のものとして形成されているため、先羽根群２０及び後羽根群３０の開閉動作（走行動作）に影響を及ぼすことはない。したがって、先羽根群２０及び後羽根群３０の開閉動作（露出動作）は、迅速かつ確実に行なわれる。
また、可動遮蔽板７０は、薄板状に形成されかつ先羽根駆動レバー４０の背後に配置されているため、専用の配置スペースを必要とせず、結果的に装置の小型化を行なうことができる。さらに、可動遮蔽板７０は、支持軸１８の回りに回動する簡単な部材として形成されており、かつ、これを駆動する駆動手段として、先羽根駆動レバー４０及び後羽根駆動レバー５０を駆動するためのセットレバー６０が兼用されているため、構造の簡略化、部品点数の削減、低コスト化等を行なうことができる。
【００２８】
また、この可動遮蔽板７０の表面は、黒色等に塗装されている。すなわち、可動遮蔽板７０の反射率が、先羽根群２０及び後羽根群３０の開口部１０ａを開閉する部分の反射率よりも小さくなるように塗装されている。
このように、可動遮蔽板７０の反射率を小さくすることにより、可動遮蔽板７０と先羽根用貫通孔１０ｃとの隙間を通して地板１０の背面側に反射される光をより確実に防止でき、又、近傍に位置する切り欠き孔１０ｄを通って進入してきた光が地板１０の背面側に向けて反射されるのをより確実に防止できる。
【００２９】
尚、この実施形態においては、可動遮蔽板７０を待避位置へ移動させるために、セットレバー６０に設けた解除ピン６５と第２係合部７３とからなる構成を採用したが、これらを用いるのではなく、支持軸１８の領域において、可動遮蔽板７０を常時図２中の反時計回りに付勢する捩りスプリング（不図示）を採用し、この捩りスプリングの付勢力により、可動遮蔽板７０が待避位置へ移動させられるようにしてもよい。
【００３０】
地板１０の前面側に配置されたセットレバー６０、先羽根駆動レバー４０、後羽根駆動レバー５０、可動遮蔽板７０等のさらに手前側（前方）には、地板１０と平行に回路基板（不図示）が配置されており、この回路基板の背面には、先羽根用電磁石８０及び後羽根用電磁石９０が取り付けられている。これら先羽根用電磁石８０及び後羽根用電磁石９０は、図２（ｃ）に示すように、それぞれ鉄芯８１，９１と、これら鉄芯８１，９１の回りに巻回された電磁コイル８２，９２等により構成されている。
そして、これら電磁コイル８２，９２が通電されることで、電磁力が発生して、これら先羽根用電磁石８０及び後羽根用電磁石９０は、先羽根駆動レバー４０の鉄片部４３、後羽根駆動レバー５０の鉄片部５３をそれぞれ吸着するようになっている。
【００３１】
上記先羽根駆動レバー４０、後羽根駆動レバー５０、セットレバー６０、及び可動遮蔽板７０の動作における相互関係については、図２（ａ）に示すように、先ず、セットレバー６０が、付勢スプリングにより時計回りに回転した解除位置にあるとき、先羽根駆動レバー４０は、捩りスプリングの付勢力により反時計回りに回転させられて、図２（ａ）に示す復帰位置にあり、又、後羽根駆動レバー５０は、捩りスプリングの付勢力により反時計回りに回転させられて、図２（ａ）に示す復帰位置にある。
また、可動遮蔽板７０は、セットレバー６０の解除ピン６５によりその第２係合部７３が押されて、反時計回りに回転した待避位置にある。
【００３２】
この状態において、図３に示すように、先羽根群２０は重なり合った開放位置に位置し、後羽根群３０は展開した閉鎖位置に位置することになる。すなわち、シャッタのチャージ（エネルギ蓄積）がセットされる前の状態（あるいは露光動作後の状態）に対応している。また、可動遮蔽板７０は、図２（ａ）及び図３に示すように、先羽根用貫通孔１０ｃを開放した状態にある。
【００３３】
続いて、セットレバー６０が、反時計回りに回転させられて、図２（ｂ）に示すようなセット位置に至るとき、その第１係合部６２が先羽根駆動レバー４０の係合部４１に係合し、又、その第２係合部６３が後羽根駆動レバー５０の係合部５１に係合する。そして、先羽根駆動レバー４０及び後羽根駆動レバー５０は、捩りスプリングの付勢力に抗しつつ時計回りに回転させられる。
また、セットレバー６０のセットピン６４が、可動遮蔽板７０の第１係合部７２に係合して、可動遮蔽板７０は時計回りに回転させられる。
【００３４】
この状態において、図４に示すように、先羽根群２０は下方に移動して展開した閉鎖位置に位置し、後羽根群３０は下方に移動して重なり合った開放位置に位置することになる。また、図２（ｂ）及び図４に示すように、可動遮蔽板７０は、先羽根用貫通孔１０ｃを遮蔽した遮蔽位置に位置することになる。
すなわち、シャッタのチャージがセットされた状態で、先羽根群２０が、開口部１０ａ（１１ａ，１２ａ）を閉鎖し、この先羽根群２０の移動により開放された先羽根用貫通孔１０ｃを、可動遮蔽板７０が遮蔽した状態となる。
【００３５】
続いて、レリーズ動作により、セットレバー６０のセット位置でのロック状態が解除されて、セットレバー６０は、捩りスプリングの付勢力により、時計回りに回転して解除位置に戻り始める。この際に、先ず、先羽根用電磁石８０及び後羽根用電磁石９０がそれぞれ通電されて、図２（ｃ）に示すように、先羽根用電磁石８０が先羽根駆動レバー４０の鉄片部４３を吸着し、又、後羽根用電磁石９０が後羽根駆動レバー５０の鉄片部５３を吸着する。
【００３６】
これにより、セットレバー６０の第１係合部６２及び第２係合部６３が、先羽根駆動レバー４０の係合部４１及び後羽根駆動レバー５０の係合部５１から離脱しても、先羽根駆動レバー４０及び後羽根駆動レバー５０は、図２（ｃ）に示すように、時計回りに回転したその状態に保持される。
また、セットレバー６０のセットピン６４が、可動遮蔽板７０の第１係合部７２から離脱する一方で、セットレバー６０の解除ピン６５が、可動遮蔽板７０の第２係合部７３に係合して、図２（ｃ）に示すように、可動遮蔽板７０は反時計回りに回転させられる。
【００３７】
この状態において、図５に示すように、先羽根群２０は下方に移動して展開した閉鎖位置にそのまま位置し、後羽根群３０は下方に移動して重なり合った開放位置にそのまま位置することになる。また、可動遮蔽板７０は、図２（ｃ）及び図５に示すように、先羽根用貫通孔１０ｃを開放した開放位置（待避位置）に位置することになる。
すなわち、シャッタのチャージ（エネルギ蓄積）がセットされた状態でかつ露光動作直前の状態に対応し、先羽根群２０が開口部１０ａ（１１ａ，１２ａ）を閉鎖し、可動遮蔽板７０が先羽根用貫通孔１０ｃを再び開放して、先羽根駆動レバー４０の反時計回りの回転が可能な状態となる。
【００３８】
次に、上記実施形態に係るフォーカルプレンシャッタがカメラに搭載された場合の動作について、図３ないし図５を参照しつつ説明する。尚、図３ないし図５は、説明の便宜上、点線とすべきところを実線で表した透視図として示されている。
先ず、シャッタのチャージがセットされていない状態（シャッタ羽根群２０，３０が走行した後の状態）においては、図３に示すように、セットレバー６０、先羽根駆動レバー４０、後羽根駆動レバー５０は、いずれも解除位置あるいは復帰位置に位置しており、このとき、先羽根群２０は重なり合って開口部１０ａ（１１ａ，１２ａ）を開放する開放位置に位置し、後羽根群３０は上方に展開して開口部１０ａ（１１ａ，１２ａ）を閉鎖する閉鎖位置に位置している。
また、可動遮蔽板７０は、先羽根用貫通孔１０ｃを開放した開放位置（待避位置）に位置している。このとき、図３に示すように、地板１０の先羽根用貫通孔１０ｃは、先羽根群２０のリンク部材２５，２６等により遮蔽されている。
【００３９】
続いて、カメラに設けられた制御部から、シャッタのチャージをセットする制御信号が発せられると、駆動モータ等が起動して、セットレバー６０が解除位置からセット位置に向けて反時計回りに回転し始める。そして、このセットレバー６０の作用により、図４に示すように、先羽根駆動レバー４０が時計回りに回転させられ、かつ、後羽根駆動レバー５０が時計回りに回転させられて、シャッタのチャージがセットされた状態に至る。また、可動遮蔽板７０が時計回りに回転させられて遮蔽位置に至る。
【００４０】
このとき、図４に示すように、先羽根群２０は下方に移動して展開し開口部１０ａ（１１ａ，１２ａ）を閉鎖した閉鎖位置に位置し、後羽根群３０は下方に移動して重なり合い開口部１０ａ（１１ａ，１２ａ）を開放した開放位置に位置する。すなわち、先羽根群２０のみにより、開口部１０ａ（１１ａ，１２ａ）が閉鎖された状態にある。また、図４に示すように、地板１０の先羽根用貫通孔１０ｃは、可動遮蔽板７０の遮蔽部７１により遮蔽されており、一方、地板１０の後羽根用貫通孔１０ｄは、後羽根群３０のリンク部材３５，３６等により遮蔽されている。
すなわち、シャッタのチャージがセットされた状態においては、先羽根用貫通孔１０ｃは、開放されるのではなく可動遮蔽板７０により遮蔽されているため、この領域から地板１０の背面側への光の進入が防止される。また、特に、切り欠き孔１０ｂの領域から隙間等を経由して進入した光が、反射等により地板１０の背面側に入り込むのが防止される。これにより、地板１０の背面側後方に位置する撮影フィルムに対する遮光が確実に行なわれる。
【００４１】
続いて、レリーズ動作が行なわれると、先ず、先羽根用電磁石８０及び後羽根用電磁石９０がそれぞれ通電されて、先羽根駆動レバー４０及び後羽根駆動レバー５０が、吸着によりその位置に保持される。そして、図２（ｃ）に示すように、セット位置でのロック状態が解除されて、セットレバー６０が、捩りスプリングの付勢力により時計回りに回転して解除位置に戻ることにより、そのセットピン６４が可動遮蔽板７０の第１係合部７２から離脱すると共に、その解除ピン６５が可動遮蔽板７０の第２係合部７３に係合して、可動遮蔽板７０が反時計回りに回転させられる。
【００４２】
このとき、図５に示すように、先羽根群２０は開口部１０ａ（１１ａ，１２ａ）を閉鎖した閉鎖位置に位置し、後羽根群３０は開口部１０ａ（１１ａ，１２ａ）を開放した開放位置に位置する。また、図５に示すように、可動遮蔽板７０は、地板１０の先羽根用貫通孔１０ｃを開放した開放位置（待避位置）に位置付けられる。
その後、先羽根用電磁石８０への通電が断たれて先羽根群２０が上方の開放位置に向けて走行し、所定時間（露出時間）を経過した後、後羽根用電磁石９０への通電が断たれて後羽根群３０が上方の閉鎖位置に向けて走行し、図３に示す状態となる。これにより、露出動作が終了し、被写体が撮影されることになる。
【００４３】
その後、制御部から出力される制御信号により、前述図２（ａ），（ｂ）に示すシーケンスを辿って、先羽根群２０が開口部１０ａ（１１ａ，１２ａ）を閉鎖した閉鎖位置に至り、後羽根群３０が開口部１０ａ（１１ａ，１２ａ）を開放した開放位置に至り、さらに、可動遮蔽板７０が先羽根用貫通孔１０ｃを遮蔽した遮蔽位置に至り、この状態で待機し、次の撮影に備える。また、カメラの電源が切られて撮影が終了となる場合は、この状態（可動遮蔽板７０が先羽根用貫通孔１０ｃを遮蔽した状態）のまま保持されることになり、カメラの動作シーケンスにおいては、この遮蔽の状態に保持される場合が最も長くなる。
【００４４】
したがって、先羽根用貫通孔１０ｃの領域から地板１０の背面側への光の進入が防止され、又、特に、切り欠き孔１０ｂの領域から隙間を経由して進入した光が、反射等によりさらに地板１０の背面側に入り込むのが防止される。これにより、地板１０の背面側後方に位置する撮影フィルムに対する遮光が効率良く確実に行なわれる。
【００４５】
上記実施形態においては、可動遮蔽板７０として、反射ミラーの支軸を収容する切り欠き孔１０ｂの近傍に位置する先羽根用貫通孔１０ｃのみを遮蔽するものを採用したが、これに限定されるものではなく、後羽根用貫通孔１０ｄを遮蔽し得る可動遮蔽板を別個に設ける構成を採用することも勿論可能である。
【００４６】
以上述べたように、本発明のフォーカルプレンシャッタによれば、光を通過させるための開口部を有する基板の背面側に配置されたシャッタ羽根群と基板の前面側に配置された駆動レバーとを連結する連結部の領域の貫通孔に対して、遮蔽動作及び開放動作を行なう専用の可動遮蔽板を設けたことにより、基板の背面側にある撮影フィルムに対する遮光性を向上させることができる。また、シャッタ羽根群とは別個に独立した構成であるため、シャッタ羽根群による開閉動作（露出動作）の応答性及び信頼性を損なうことなく、遮光性を向上させることができる。さらに、可動遮蔽板を、板状として基板上に配置したことにより、装置の小型化、簡略化等を行なうことができる。
特に、シャッタのチャージがセットされた状態において、可動遮蔽板が貫通孔を遮蔽するように形成することにより、撮影待機の状態あるいは電源オフの状態において、効率良く遮光を行なうことができる。
また、シャッタ羽根群を駆動する駆動レバーを作動させるために用いられるセットレバーを、可動遮蔽板の駆動手段として兼用することにより、部品点数の増加を防ぎ、構造の簡略化、低コスト化等を行なうことができる。
【図面の簡単な説明】
【図１】本発明に係るフォーカルプレンシャッタの一部を構成する開口部が形成された基板を示す平面図である。
【図２】可動遮蔽板、先羽根群及び後羽根群を駆動する駆動レバー、セットレバー等の動作を示す平面図であり、（ａ）はシャッタのチャージがセットされる前の状態を示す平面図、（ｂ）はシャッタのチャージがセットされた状態を示す平面図、（ｃ）はレリーズ動作が行なわれた直後の状態を示す平面図である。
【図３】シャッタのチャージがセットされる前における可動遮蔽板、先羽根群及び後羽根群等の状態を示す平面図である。
【図４】シャッタのチャージがセットされた状態での可動遮蔽板、先羽根群及び後羽根群等の状態を示す平面図である。
【図５】シャッタのレリーズ動作が行なわれた直後における可動遮蔽板、先羽根群及び後羽根群等の状態を示す平面図である。
【図６】従来のフォーカルプレンシャッタを示す斜視図である。
【図７】従来のフォーカルプレンシャッタにおける基板の貫通孔とシャッタ羽根群との関係を示す平面図である。
【符号の説明】
１０  地板（基板）
１０ａ  開口部、１０ｂ  切り欠き孔
１０ｃ  先羽根用貫通孔（貫通孔）、１０ｄ  後羽根用貫通孔（貫通孔）
１１  中間板
１１ａ  開口部
１２  カバー板
１２ａ  開口部
２０  先羽根群（シャッタ羽根群）
２５  リンク部材
２５ａ  連結孔
２６  リンク部材
３０  後羽根群（シャッタ羽根群）
３５  リンク部材
３５ａ  連結孔
３６  リンク部材
４０  先羽根駆動レバー
４２  連結ピン（連結部）
５０  後羽根駆動レバー
５２  連結ピン（連結部）
６０  セットレバー（駆動手段）
６２  第１係合部
６３  第２係合部
６４  セットピン
６５  解除ピン
７０  可動遮蔽板
７１  遮蔽部
７２  第１係合部
７２  第２係合部
８０  先羽根用電磁石
９０  後羽根用電磁石
【図１】
0004404441.tif 000002
【図２】
0004404441.tif 000003
【図３】
0004404441.tif 000004
【図４】
0004404441.tif 000005
【図５】
0004404441.tif 000006
【図６】
0004404441.tif 000007
【図７】
0004404441.tif 000008